(57)【要約】【課題】詰まった被記録媒体へのアクセスの容易性、該アクセスの際に異物が内部に入る虞およびケースの強度を考慮した記録装置を提供すること。【解決手段】記録装置（２）は、被記録媒体（Ｐ）を送り方向へ送る送り手段１６と、被記録媒体（Ｐ）が送られる経路である送り経路２３と、該送り経路２３を覆うケース３と、前記送り経路２３において被記録媒体（Ｐ）が詰まった場合に、詰まった被記録媒体（Ｐ）を前記ケース３の内部の前記送り経路２３から除去するために前記ケース３に設けられた第１開口部４と、該第１開口部４を覆う開閉可能なカバー部材６と、を備え、前記第１開口部４は前記ケース３の前面に設けられており、前記カバー部材６は前方へ倒れるようにして開く構成であることを特徴とする。【選択図】図２
2012179731.tif 000002
【特許請求の範囲】
【請求項１】
被記録媒体を送り方向へ送る送り手段と、
被記録媒体が送られる経路である送り経路と、
少なくとも前記送り経路を覆うケースと、
前記送り経路において被記録媒体が詰まった場合に、詰まった被記録媒体を前記ケースの内部の前記送り経路から除去するために前記ケースに設けられた第１開口部と、
該第１開口部を覆う開閉可能なカバー部材と、を備え、
前記第１開口部は、動作指示が入力される操作部が設けられている側を前とした場合の前記ケースの前面に設けられており、前記カバー部材は前方へ倒れるようにして開く構成である記録装置。
【請求項２】
請求項１に記載の記録装置において、被記録媒体に対してインクを吐出して記録する構成であり、
前記ケースの内部の所定位置に装着されたインクカートリッジを前記所定位置から取り外すために前記ケースに設けられた第２開口部を備えており、
該第２開口部は、前記ケースの前面に設けられており、
前記カバー部材は、前記第２開口部をも覆う構成である記録装置。
【請求項３】
請求項１または２に記載の記録装置において、前記ケースの上面には、画像を読み取る読み取り装置が設けられていることを特徴とする記録装置。
【発明の詳細な説明】
【技術分野】
【０００１】
本発明は、被記録媒体が送られる経路に詰まった被記録媒体を取り除くために設けられた開口部と、該開口部を覆うカバーとを備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、画像形成装置は、搬送手段と、搬送経路と、ケースと、開口部と、カバーと、を備えていた。このうち、前記搬送手段は、ローラーを有しており、記録紙を送り方向へ送ることができるように設けられていた。また、前記搬送経路は、記録紙を送り方向へ案内することができるように構成されていた。またさらに、前記ケースは、装置全体を覆うように設けられていた。また、前記開口部は、前記ケースの上面に設けられていた。また、前記カバーは、前記ケースの上面において、前記開口部を開閉可能に覆うことができるように設けられていた。  
そして、記録紙が前記搬送経路において詰まった際、ユーザーは前記カバーを開いて、前記開口部を介してケースの内部に手を入れて詰まった記録紙を取り除くことができるように構成されていた。
【先行技術文献】
【特許文献】
【０００３】
【特許文献１】特開平５−３０７２８５号公報
【発明の概要】
【発明が解決しようとする課題】
【０００４】
しかしながら、前記開口部が前記ケースの上面に設けられているので、ユーザーが記録紙を取り除く際、うっかり前記ケースの外で落としたクリップ等の異物が、前記開口部を介して前記ケースの内部に入ってしまう虞がある。係る場合、動作不良等の不具合が生じ、装置として致命的である。また、前記画像形成装置の上面にスキャナー等の重量物が設けられている構成である場合、前記詰まった記録紙を取り除くためには、前記スキャナー等の重量物を持ち上げる必要がある。係る場合、ユーザーが前記開口部を介して記録紙が詰まった箇所にアクセスすることが容易ではない。またさらに、前記開口部を前記ケースの上面に設ける場合、通常、記録紙の広い範囲が見えるように前記開口部を大きく設ける。そのため、前記ケースの剛性がその分低下する虞がある。つまり、前記ケースの強度不足の問題が生じる。
【０００５】
本発明は、このような状況に鑑み成されたものであり、その課題は、詰まった被記録媒体へのアクセスの容易性、該アクセスの際に異物が内部に入る虞およびケースの強度を考慮した記録装置を提供することである。
【課題を解決するための手段】
【０００６】
上記課題を達成するため、本発明の第１の態様の記録装置は、被記録媒体を送り方向へ送る送り手段と、被記録媒体が送られる経路である送り経路と、少なくとも前記送り経路を覆うケースと、前記送り経路において被記録媒体が詰まった場合に、詰まった被記録媒体を前記ケースの内部の前記送り経路から除去するために前記ケースに設けられた第１開口部と、該第１開口部を覆う開閉可能なカバー部材と、を備え、前記第１開口部は、動作指示が入力される操作部が設けられている側を前とした場合の前記ケースの前面に設けられており、前記カバー部材は前方へ倒れるようにして開く構成であることを特徴とする。
【０００７】
本態様によれば、前記第１開口部は前記ケースの前面に設けられている。従って、ユーザーが前記ケースの外でクリップ等の異物を落としてしまった場合であっても、該異物が前記ケースの内部に入ってしまう虞がない。  
また、上面に開口部が設けられている構成と比較して、一般的にケースの上面に設けられるスキャナー等の重量物を持ち上げる必要がない。そのため、ユーザーは、前記第１開口部から前記詰まった被記録媒体へ容易にアクセスすることができる。
【０００８】
またさらに、被記録媒体の送り方向下流側から上流側へ向かってアクセスするように前記第１開口部を配設することが可能である。ここで、上面に設けた場合は、通常、被記録媒体の広い範囲の面が見えるように大きく開口部を配設する。従って、前記第１開口部を前面に設けることにより、上面に設けた場合と比較して、開口部の大きさを小さくすることができる。そして、小さくした分、前記ケースの強度を高めることができる。その結果、前記ケースが強度不足となる虞がない。  
また、前記カバー部材は前方へ倒れるようにして開くので、前記ケースの上面に設けられるスキャナー等によって開閉が妨げられる虞がない。さらに、カバーの下端が上方へ開く構成と比較して、開いた状態の前記カバー部材が邪魔にならないので、ユーザーは、前記第１開口部を介して前記ケースの内部を容易に見ることができる。
【０００９】
本発明の第２の態様は、第１の態様において、被記録媒体に対してインクを吐出して記録する構成であり、前記ケースの内部の所定位置に装着されたインクカートリッジを前記所定位置から取り外すために前記ケースに設けられた第２開口部を備えており、該第２開口部は、前記ケースの前面に設けられており、前記カバー部材は、前記第２開口部をも覆う構成であることを特徴とする。  
本態様によれば、第１の態様と同様の作用効果に加え、前記カバー部材は前記第２開口部を覆うカバーをも兼ねるので、その分だけ部品点数を少なくすることができる。また、その分コストを抑えることができる。  
またさらに、一つの前記カバー部材を開くだけで、前記第１開口部および前記第２開口部へアクセスすることができ、操作性がよい。つまり、前記カバー部材を開くだけで、被記録媒体の詰まりに対応することができ、インクカートリッジの交換にも対応することができる。
【００１０】
本発明の第３の態様は、第１または第２の態様において、前記ケースの上面には、画像を読み取る読み取り装置が設けられていることを特徴とする。  
本態様によれば、第１または第２の態様と同様の作用効果に加え、前記ケースの上面に前記読み取り装置が設けられている場合に、前記第１開口部が前記ケースの前面に設けられている構成は特に有効である。
【図面の簡単な説明】
【００１１】
【図１】本実施例のカバー部材が閉じた状態のプリンター全体を示す前方斜視図。
【図２】本実施例のカバー部材が開いた状態のプリンター全体を示す前方斜視図。
【図３】本実施例のプリンター内部の概略を示す側断面図。
【発明を実施するための形態】
【００１２】
以下、本発明の実施の形態を図面に基づいて説明する。  
図１に示すのは、本実施例のカバー部材６が閉じた状態のプリンター複合機１全体を示す前方斜視図である。また、図２に示すのは、本実施例のカバー部材６が開いた状態のプリンター複合機１全体を示す前方斜視図である。またさらに、図３に示すのは、本実施例のプリンター複合機１の内部の概略を示す側断面図である。
【００１３】
図１〜図３に示す如く、本実施例のプリンター複合機１は、プリンター本体２と、媒体搬送装置３３とを備えている。このうち、プリンター本体２は、スキャナー部１２と、操作部９と、載置部１３と、送り手段１６と、送り経路２３と、記録部２５と、第１排出スタッカー３１と、ケース３と、カバー部材６と、を備えている。  
スキャナー部１２は、プリンター本体２における媒体搬送装置３３側である上方（Ｚ軸の矢印方向）に配設されている。ここで、Ｚ軸は、鉛直方向である。
【００１４】
そして、スキャナー部１２は、媒体搬送装置３３によって、送られた用紙Ｓの面に記録された写真や文書等の情報を読み取ることができるように構成されている。また、操作部９は、表示部１１と、ボタン１０とを有している。そして、ユーザーがボタン１０や表示部１１によって指示を入力する操作して、プリンター複合機１の設定条件の変更や、各種実行指示をすることができるように設けられている。  
尚、本実施例において、プリンター複合機１における操作部９が設けられている側がプリンター複合機１の前側である。つまり、正面（前面３ａ）である。
【００１５】
またさらに、載置部１３は、被記録媒体の一例である用紙Ｐを載置することができるように設けられている。本実施例では第１載置部１４と、第２載置部１５とがある。第１載置部１４は、プリンター本体２の後方に設けられたペーパーサポート１４ａおよびホッパー１４ｂである。このうち、ホッパー１４ｂは、上方（Ｚ軸の矢印方向）を中心に下方が後述する第１ローラー１７に対して接離移動することができるように構成されている。一方、第２載置部１５は、プリンター本体２の下方に着脱可能に設けられたカセット部１５ａである。
【００１６】
また、送り手段１６は、載置部１３に載置された用紙Ｐを記録部２５へ送ることができるように設けられている。具体的に、本実施例の送り手段１６は、第１ローラー１７と、第２ローラー１８と、第３ローラー１９と、第１ローラー対２１と、第２ローラー対２２とを有している。このうち、第１ローラー１７は、第１ローラー１７に対してホッパー１４ｂの下方が接近したとき、最上位の用紙Ｐと接触し、送り方向下流側の第２ローラー１８へ送ることができるように設けられている。
【００１７】
また、第３ローラー１９は、カセット部１５ａに対して接離移動可能なアーム部２０の自由端に設けられている。そして、カセット部１５ａにおける最上位に用紙Ｐと接触し、用紙Ｐを送り方向下流側の第２ローラー１８へ送ることができるように設けられている。またさらに、第２ローラー１８は、第１ローラー１７および第３ローラー１９によって送られてきた用紙Ｐをさらに下流側の第１ローラー対２１へ送ることができるように設けられている。
【００１８】
また、第１ローラー対２１は、記録時の送り方向下流側（Ｙ軸の矢印方向）の記録部２５および第２ローラー対２２へ用紙Ｐを送ることができるように設けられている。またさらに、第２ローラー対２２は、記録部２５より記録時の送り方向下流側に設けられており、記録部２５によって記録された用紙Ｐを第１排出スタッカー３１へ排出することができるように設けられている。
【００１９】
またさらに、送り経路２３は、用紙Ｐが送られる経路であり、案内部材によって構成されている。具体的には、用紙Ｐを載置部１３から記録部２５を介して第１排出スタッカー３１まで案内することができるように構成されている。  
また、記録部２５は、送り手段１６によって送られた用紙Ｐに対してインクを吐出して記録を実行することができるように構成されている。具体的には、記録部２５は、キャリッジ２６と、記録ヘッド２７と、媒体支持部２８とを有している。
【００２０】
このうち、キャリッジ２６は、一例として図示しないモーターの動力によって用紙Ｐの幅方向Ｘに延設された図示しないガイド部材にガイドされながら移動することができるように構成されている。また、記録ヘッド２７は、キャリッジ２６における用紙Ｐと対向する側に設けられている。さらに、記録ヘッド２７における用紙Ｐと対向する面には、インクを吐出するノズル（図示せず）が形成されている。またさらに、媒体支持部２８は、記録ヘッド２７と対向する位置に設けられており、用紙Ｐと記録ヘッド２７との間の距離を所定の長さに保つことができるように構成されている。  
またさらに、第１排出スタッカー３１は、記録された用紙Ｐを載置することができるように設けられている。また、第１排出スタッカー３１は伸縮自在に設けられている。
【００２１】
尚、送り経路２３とは別に、用紙Ｐの裏表を反転させるための表裏反転用経路２４が設けられている。両面記録モードの場合、用紙Ｐの表面に対しての記録後に、第１ローラー対２１および第２ローラー対２２によって用紙Ｐは、記録時の送り方向Ｙと逆方向へ逆送りされる。そして、表裏反転用経路２４へ送られ、第２ローラー１８の下側から上側へ回り込んで再び第１ローラー対２１へ送られる。この際、既に記録された表面が媒体支持部２８側となり、まだ記録されていない裏面が記録ヘッド２７側となる。そして、第１ローラー対２１によって記録時の送り方向下流側へ送られ、記録部２５によって裏面に対して記録が実行されるように構成されている。
【００２２】
また、ケース３は、プリンター本体２の筐体である。送り経路２３等を覆うように構成されている。  
図２に示す如く、本実施例では、ケース３の前面３ａに第１開口部４と、第２開口部５とが形成されている。このうち、第１開口部４は、送り経路２３に用紙Ｐが詰まった場合において該詰まった用紙Ｐを送り経路２３から取り除くために設けられたものである。ユーザーが、第１開口部４から送り経路２３における用紙Ｐが詰まった箇所（例えば第１ローラー対２１近傍）へアクセスして詰まった用紙Ｐを取り除く処理を行う。
【００２３】
一方、第２開口部５は、記録ヘッド２７へインクを供給するインクカートリッジ８がケース３の内部のインクカートリッジ８の装着位置である第１所定位置Ａへ取り付けられており、インクカートリッジ８を交換するために設けられたものである。ユーザーが、第２開口部５から第１所定位置Ａへアクセスして空になったインクカートリッジ８を取り外し、インクが充填されている別のインクカートリッジ８（新しいインクカートリッジ）を第１所定位置Ａへ取り付ける交換処理を行う。
【００２４】
またさらに、カバー部材６は、ケース３の前面３ａに開閉可能に取り付けられている。また、一対のヒンジ部７を中心に上方（Ｚ軸の矢印方向）の自由端側が前方へ倒れるようにして開くように構成されている。さらに、本実施例において、カバー部材６が閉まった状態では、カバー部材６が、第１開口部４および第２開口部５を覆うように構成されている。
【００２５】
一方、媒体搬送装置３３は、プリンター本体２の上方（Ｚ軸の矢印方向）に配設されている。詳しい図示は省略するが、プリンター本体２側のスキャナー部１２と対向する第２所定位置に対して第３載置部３４に載置された用紙Ｓを搬送経路（図示せず）によって送ることができるように設けられている。そして、スキャナー部１２によって用紙Ｓの面に記録された情報が読み取られる。その後、媒体搬送装置３３は、用紙Ｓを第２排出スタッカー３５まで送って排出することができるように設けられている。
【００２６】
図２に示す如く、本実施例において、プリンター本体２の前面３ａに設けられたカバー部材６を開けることにより、第１開口部４および第２開口部５が現れる。従って、ユーザーは、第１開口部４からアクセスして詰まった用紙Ｐを取り除くことができる。また、インクカートリッジ８を交換することもできる。つまり、一のカバー部材６を開くだけで、用紙詰まり、およびインク切れの両方に対応することができる。その結果、第１開口部４および第２開口部５が別々のカバーによって覆われている構成と比較して、操作性がよい。また、部品点数を減らすことができ、コストも抑えることができる。
【００２７】
また、図３に示す如く、インクカートリッジ８からキャリッジ２６の記録ヘッド２７へインクを供給するために、インクカートリッジ８側から延びたインクチューブ２９がキャリッジ２６に接続されている。  
またさらに、図２および図３に示す如く、第１開口部４から送り経路２３へアクセスする経路上に、保護部材３２が設けられている。
【００２８】
保護部材３２は、ケース３の外部から第１開口部４を介して内部を見て、キャリッジ２６に接続されたインクチューブ２９を覆うように形成されている。従って、ユーザーが第１開口部４から手を入れて送り経路２３へアクセスした際、ユーザーの手がインクチューブ２９に触れることを防止することができる。その結果、ユーザーの手が、例えば、インクチューブ２９に付着したインクミストによって汚れる虞がない。また、インクチューブ２９が破損する虞や、インクチューブ２９がキャリッジ２６から引き抜かれてしまう虞がない。またさらに、インクチューブ２９と同様に引き回されている配線ケーブル３０がキャリッジ２６から引き抜かれてしまう虞がない。
【００２９】
また、本実施例の第１開口部４は、プリンター本体２のケース３における前面３ａに設けられている。従って、カバー部材６を開いて詰まった用紙Ｐを取り除く際、ケース３の外でクリップ等の異物を落としてしまった場合であっても、該異物がケース３の内部に入ってしまう虞がない。  
またさらに、本実施例では、プリンター本体２の上面にスキャナー部１２が設けられている。本実施例の第１開口部４は、プリンター本体２のケース３における前面３ａに設けられているため、ユーザーは、比較的重たいスキャナー部１２を上方（Ｚ軸の矢印方向）へ揺動させる必要がない。その結果、送り経路２３における詰まった用紙Ｐが位置する箇所へ容易にアクセスすることができる。
【００３０】
また、ケース３の前面３ａに第１開口部４を設けることにより、ユーザーは、詰まった用紙Ｐを取り除く際、用紙Ｐの送り方向下流側から上流側へ向かってアクセスするように構成することができる。ここで、開口部を上面に設けた場合は、通常、用紙Ｐの広い範囲の面が見えるように大きく開口部を配設する。従って、第１開口部４をケース３の前面３ａに設けることにより、上面に設けた場合と比較して、第１開口部４の大きさを小さくすることができる。
【００３１】
そして、前記小さくした分、ケース３の強度を高めることができる。その結果、ケース３が強度不足となる虞がない。  
またさらに、カバー部材６は前方へ倒れるようにして開くので、ケース３の上面に設けられるスキャナー部１２や媒体搬送装置３３等によって開閉が妨げられる虞がない。さらに、カバーの下端が上方へ開く構成と比較して、開いた状態のカバー部材６が邪魔にならないので、ユーザーは、第１開口部４を介してケース３の内部を容易に見ることができる。
【００３２】
本実施例の記録装置としてのプリンター本体２は、被記録媒体の一例である用紙Ｐを送り方向へ送る送り手段１６と、用紙Ｐが送られる経路である送り経路２３と、少なくとも送り経路２３を覆うケース３と、送り経路２３において用紙Ｐが詰まった場合に、詰まった用紙Ｐをケース３の内部の送り経路２３から除去するためにケース３に設けられた第１開口部４と、第１開口部４を覆う開閉可能なカバー部材６と、を備え、第１開口部４は、動作指示が入力される操作部９が設けられている側を前とした場合のケース３の前面３ａに設けられており、カバー部材６は前方へ倒れるようにして開く構成であることを特徴とする。
【００３３】
また、本実施例において、用紙Ｐに対してインクを吐出して記録する構成であり、ケース３の内部の所定位置である第１所定位置Ａに装着されたインクカートリッジ８を第１所定位置Ａから取り外すためにケース３に設けられた第２開口部５を備えており、第２開口部５は、ケース３の前面３ａに設けられており、カバー部材６は、第２開口部５をも覆う構成であることを特徴とする。  
またさらに、本実施例において、ケース３の上面には、画像を読み取る読み取り装置としてのスキャナー部１２が設けられていることを特徴とする。
【００３４】
尚、本発明は上記実施例に限定されることなく、特許請求の範囲に記載した発明の範囲内で、種々の変形が可能であり、それらも本発明の範囲内に含まれるものであることは言うまでもない。  
上記実施例では、インクカートリッジ８をケース３の内部の所定位置Ａに取り付ける構成であるが、ケース３の外部に別途設けられたインクタンクからケース３の内部のキャリッジ２６にインクを供給する構成でもよい。
【符号の説明】
【００３５】
１  プリンター複合機、２  プリンター本体、３  ケース、３ａ  前面、
４  第１開口部、５  第２開口部、６  カバー部材、７  ヒンジ部、
８  インクカートリッジ、９  操作部、１０  ボタン、１１  表示部、
１２  スキャナー部（読み取り装置）、１３  載置部、１４  第１載置部、
１４ａ  ペーパーサポート、１４ｂ  ホッパー、１５  第２載置部、
１５ａ  カセット部、１６  送り手段、１７  第１ローラー、１８  第２ローラー、
１９  第３ローラー、２０  アーム部、２１  第１ローラー対、２２  第２ローラー対、
２３  送り経路、２４  表裏反転用経路、２５  記録部、２６  キャリッジ、
２７  記録ヘッド、２８  媒体支持部、２９  インクチューブ、３０  配線ケーブル、
３１  第１排出スタッカー、３２  保護部材、３３  媒体搬送装置、３４  第３載置部、
３５  第２排出スタッカー、Ａ  インクカートリッジの装着位置（第１所定位置）、
Ｐ  プリンター本体で送られる用紙、Ｓ  媒体搬送装置で送られる用紙、Ｘ  幅方向、
Ｙ  記録時の送り方向、Ｚ  鉛直方向
【図１】
2012179731.tif 000003
【図２】
2012179731.tif 000004
【図３】
2012179731.tif 000005